(57)【要約】【課題】本発明は犬じゃらしもちゃを開示した。【解決手段】本体を含み、前記本体の中には射出機が回転できるように設けられ、前記本体の中には支持チャンバが設けられ、前記支持チャンバの中には前記射出機を支持できる支持装置が設けられ、前記支持チャンバの右壁の中にはベルトチャンバが設けられ、本発明は構造が簡単で、操作が便利で、整備が便利であり、更に当設備は自動的に輪投げを射出でき、ペットドッグをじゃらし、ペットの寂しさを解除し、ペットの感情のニーズを満足でき、従って、当設備は比較的に高い使用価値と普及価値を備える。【選択図】図１
2020171646.tif 000002
【特許請求の範囲】
【請求項１】
本体を含み、前記本体の中には射出機が回転できるように設けられ、前記本体の中には支持チャンバが設けられ、前記支持チャンバの中には前記射出機を支持できる支持装置が設けられ、前記支持チャンバの右壁の中にはベルトチャンバが設けられ、前記ベルトチャンバの右壁の中にはメインチャンバが設けられ、前記メインチャンバの中には動力を伝達できる伝動装置が設けられ、前記射出機の中には射出チャンバが設けられ、前記射出チャンバにはもちゃを射出できる射出装置が設けられ、前記射出チャンバの右壁の中には制御チャンバが設けられ、前記制御チャンバの中には前記射出装置の動作を制御する制御装置が設けられ、前記メインチャンバの中には動力装置が設けられ、前記動力装置は前記メインチャンバの左壁の中に設けられたモーターを含み、前記メインチャンバの中には前記モーターと伝動できるように連結された第一動力軸が設けられ、前記第一動力軸の右端には駆動歯車が設けられ、前記動力装置は前記伝動装置により前記射出装置をスライド連動させることができ、射出の位置エネルギーを増やすことを特徴とする犬じゃらしもちゃ。
【請求項２】
前記伝動装置は前記メインチャンバの中に設けられた伝動軸を含み、前記伝動軸の外壁には前記駆動歯車と噛み合う従動歯車が設けられ、前記伝動軸の右端にはワンウェイ傘歯車が設けられ、前記伝動軸の左端には前記ベルトチャンバの中に位置しているワンウェイプーリーが設けられ、前記メインチャンバの中には伸び軸が設けられ、前記伸び軸の底端には前記ワンウェイ傘歯車と噛み合う下傘歯車が設けられ、前記伸び軸の頂端には上傘歯車が設けられ、前記メインチャンバの中にはメイン軸が設けられ、前記メイン軸の前端には前記上傘歯車と噛み合う従動傘歯車が設けられ、前記メイン軸の後端には平歯車が設けられ、
前記伝動装置は動力を前記射出装置と前記支持装置との中まで伝達することができることを特徴とする請求項１に記載の犬じゃらしもちゃ。
【請求項３】
有益的には、前記支持装置は前記支持チャンバの中にスライドできるように設けられたスライドブロックを含み、前記スライドブロックと前記射出機との間が支持ロッドによってヒンジで連結され、前記支持チャンバの中にはねじロッドが設けられ、前記スライドブロックと前記ねじロッドとがねじ山によって連結され、前記ねじロッドの右端には前記ベルトチャンバの中に位置している従動プーリーが設けられ、前記従動プーリーと前記ワンウェイプーリーとの間には第一ベルトが伝動できるように設けられ、
前記支持装置は前記射出機を支持することができ、前記射出装置が輪投げをより遠いところまで射出できることを特徴とする請求項１に記載の犬じゃらしもちゃ。
【請求項４】
有益的には、前記射出装置は前記射出チャンバの中にスライドできるように設けられた射出ブロックを含み、前記射出チャンバの左壁の中には前記射出チャンバと連通している回復チャンバが設けられ、前記回復チャンバの中には左リールが設けられ、前記左リールの中には弾性チャンバが設けられ、前記左リールの内壁と前記回復チャンバの内壁との間にはねじりバネが弾性的に設けられ、前記左リールと前記射出ブロックとの間には左ひもによって連結され、前記制御チャンバの中には従動軸が設けられ、前記従動軸の後端には右リールが設けられ、前記右リールと前記射出ブロックとの間には右ひもによって連結され、前記従動軸の外壁には副歯車が設けられ、前記制御チャンバの中には前記副歯車と前記平歯車と噛合する伝動歯車が設けられ、
前記射出装置は輪投げを射出することができることを特徴とする請求項１に記載の犬じゃらしもちゃ。
【請求項５】
有益的には、前記制御チャンバは前記従動軸の前端に設けられたラチェット歯車を含み、前記制御チャンバの中にはスライドできる制限ブロックが設けられ、前記制限ブロックと前記ラチェット歯車とが接触し固定され、前記制限ブロックの頂壁にはスライドラックが設けられ、前記制限ブロックの右端と前記制御チャンバの右壁との間にはバネが弾性的に設けられ、前記制御チャンバの中には下軸が設けられ、前記下軸の後端には前記スライドラックと噛み合うことができる扇形歯車が設けられ、前記下軸の前端には副プーリが設けられ、前記制御チャンバの中には上軸が設けられ、前記上軸の前端には正プーリが設けられ、前記正プーリと前記副プーリとの間には第二ベルトが伝動できるように設けられ、前記上軸の後端には副傘歯車が設けられ、前記制御チャンバの右端には動力チャンバが設けられ、前記制御チャンバの中には制御軸が設けられ、前記制御軸の左端には前記副傘歯車と噛み合う正傘歯車が設けられ、前記制御軸の右端には前記動力チャンバの中に位置しているウォームが設けられ、前記動力チャンバの中には第二動力軸が設けられ、前記第二動力軸の前端には前記ウォームと係合するウォームホイールが設けられ、前記第二動力軸の後端には動力歯車が設けられ、前記本体の中には前記動力歯車と噛み合う動力ラックが設けられ、
前記制御装置は前記射出装置の射出状態を制御できることを特徴とする請求項１に記載の犬じゃらしもちゃ。
【発明の詳細な説明】
【技術分野】
【０００１】
本発明はペットもちゃ分野を取り上げて、具体的には犬じゃらしもちゃである。
【背景技術】
【０００２】
ペットドッグは人々に寂しさを解消でき、しかし現在人々の生活リズムが速すぎ、自分のペットドッグと遊ぶ時間がなく、ペットもちゃはペットの孤独感を減らせ、且つ一定程度でペットの感情的なニーズを満足でき、従って、自動化のペットドッグをじゃらすもちゃを設計する。
【先行技術文献】
【特許文献】
【０００３】
【特許文献１】中国特許出願公開第１０３３１４８７０号明細書
【発明の概要】
【発明が解決しようとする課題】
【０００４】
本発明の目的は犬じゃらしもちゃを提供し、それは上記の現在の技術中の問題を解決できる。
【課題を解決するための手段】
【０００５】
本発明の犬じゃらしもちゃは、本体を含み、前記本体の中には射出機が回転できるように設けられ、前記本体の中には支持チャンバが設けられ、前記支持チャンバの中には前記射出機を支持できる支持装置が設けられ、前記支持チャンバの右壁の中にはベルトチャンバが設けられ、前記ベルトチャンバの右壁の中にはメインチャンバが設けられ、前記メインチャンバの中には動力を伝達できる伝動装置が設けられ、前記射出機の中には射出チャンバが設けられ、前記射出チャンバにはもちゃを射出できる射出装置が設けられ、前記射出チャンバの右壁の中には制御チャンバが設けられ、前記制御チャンバの中には前記射出装置の動作を制御する制御装置が設けられ、前記メインチャンバの中には動力装置が設けられ、前記動力装置は前記メインチャンバの左壁の中に設けられたモーターを含み、前記メインチャンバの中には前記モーターと伝動できるように連結された第一動力軸が設けられ、前記第一動力軸の右端には駆動歯車が設けられ、前記動力装置は前記伝動装置により前記射出装置をスライド連動させることができ、射出の位置エネルギーを増やす。
【０００６】
有益的には、前記伝動装置は前記メインチャンバの中に設けられた伝動軸を含み、前記伝動軸の外壁には前記駆動歯車と噛み合う従動歯車が設けられ、前記伝動軸の右端にはワンウェイ傘歯車が設けられ、前記伝動軸の左端には前記ベルトチャンバの中に位置しているワンウェイプーリーが設けられ、前記メインチャンバの中には伸び軸が設けられ、前記伸び軸の底端には前記ワンウェイ傘歯車と噛み合う下傘歯車が設けられ、前記伸び軸の頂端には上傘歯車が設けられ、前記メインチャンバの中にはメイン軸が設けられ、前記メイン軸の前端には前記上傘歯車と噛み合う従動傘歯車が設けられ、前記メイン軸の後端には平歯車が設けられ、
前記伝動装置は動力を前記射出装置と前記支持装置との中まで伝達することができる。
【０００７】
有益的には、前記支持装置は前記支持チャンバの中にスライドできるように設けられたスライドブロックを含み、前記スライドブロックと前記射出機との間が支持ロッドによってヒンジで連結され、前記支持チャンバの中にはねじロッドが設けられ、前記スライドブロックと前記ねじロッドとがねじ山によって連結され、前記ねじロッドの右端には前記ベルトチャンバの中に位置している従動プーリーが設けられ、前記従動プーリーと前記ワンウェイプーリーとの間には第一ベルトが伝動できるように設けられ、
前記支持装置は前記射出機を支持することができ、前記射出装置が輪投げをより遠いところまで射出できる。
【０００８】
有益的には、前記射出装置は前記射出チャンバの中にスライドできるように設けられた射出ブロックを含み、前記射出チャンバの左壁の中には前記射出チャンバと連通している回復チャンバが設けられ、前記回復チャンバの中には左リールが設けられ、前記左リールの中には弾性チャンバが設けられ、前記左リールの内壁と前記回復チャンバの内壁との間にはねじりバネが弾性的に設けられ、前記左リールと前記射出ブロックとの間には左ひもによって連結され、前記制御チャンバの中には従動軸が設けられ、前記従動軸の後端には右リールが設けられ、前記右リールと前記射出ブロックとの間には右ひもによって連結され、前記従動軸の外壁には副歯車が設けられ、前記制御チャンバの中には前記副歯車と前記平歯車と噛合する伝動歯車が設けられ、
前記射出装置は輪投げを射出することができる。
【０００９】
有益的には、前記制御チャンバは前記従動軸の前端に設けられたラチェット歯車を含み、前記制御チャンバの中にはスライドできる制限ブロックが設けられ、前記制限ブロックと前記ラチェット歯車とが接触し固定され、前記制限ブロックの頂壁にはスライドラックが設けられ、前記制限ブロックの右端と前記制御チャンバの右壁との間にはバネが弾性的に設けられ、前記制御チャンバの中には下軸が設けられ、前記下軸の後端には前記スライドラックと噛み合うことができる扇形歯車が設けられ、前記下軸の前端には副プーリが設けられ、前記制御チャンバの中には上軸が設けられ、前記上軸の前端には正プーリが設けられ、前記正プーリと前記副プーリとの間には第二ベルトが伝動できるように設けられ、前記上軸の後端には副傘歯車が設けられ、前記制御チャンバの右端には動力チャンバが設けられ、前記制御チャンバの中には制御軸が設けられ、前記制御軸の左端には前記副傘歯車と噛み合う正傘歯車が設けられ、前記制御軸の右端には前記動力チャンバの中に位置しているウォームが設けられ、前記動力チャンバの中には第二動力軸が設けられ、前記第二動力軸の前端には前記ウォームと係合するウォームホイールが設けられ、前記第二動力軸の後端には動力歯車が設けられ、前記本体の中には前記動力歯車と噛み合う動力ラックが設けられ、
前記制御装置は前記射出装置の射出状態を制御できる。
【発明の効果】
【００１０】
本発明は構造が簡単で、操作が便利で、整備が便利であり、更に当設備は自動的に輪投げを射出でき、ペットドッグをじゃらし、ペットの寂しさを解除し、ペットの感情のニーズを満足でき、従って、当設備は比較的に高い使用価値と普及価値を備える。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行う。
【００１２】
【図１】図１は本発明の犬じゃらしもちゃの全体構成略図
【図２】図２は図１のＡの構成略図
【図３】図３は図１のＢの構成略図
【図４】図４は本発明の犬じゃらしもちゃの作動状態の全体構成略図
【発明を実施するための形態】
【００１３】
以下、上記の図を合わせて本発明について詳しく説明し、また、説明の便利を図るため、下記に記載の上下左右前後方向が図１自身の投影関係の上下左右前後方向と一致することにする。
【００１４】
図１−４に示したように、本発明の犬じゃらしもちゃは、本体１２を含み、前記本体１２の中には射出機１１が回転できるように設けられ、前記本体１２の中には支持チャンバ１３が設けられ、前記支持チャンバ１３の中には前記射出機１１を支持できる支持装置１００が設けられ、前記支持チャンバ１３の右壁の中にはベルトチャンバ２０が設けられ、前記ベルトチャンバ２０の右壁の中にはメインチャンバ２６が設けられ、前記メインチャンバ２６の中には動力を伝達できる伝動装置２００が設けられ、前記射出機１１の中には射出チャンバ３１が設けられ、前記射出チャンバ３１にはもちゃを射出できる射出装置３００が設けられ、前記射出チャンバ３１の右壁の中には制御チャンバ５１が設けられ、前記制御チャンバ５１の中には前記射出装置３００の動作を制御する制御装置４００が設けられ、前記メインチャンバ２６の中には動力装置５００が設けられ、前記動力装置５００は前記メインチャンバ２６の左壁の中に設けられたモーター２２を含み、前記メインチャンバ２６の中には前記モーター２２と伝動できるように連結された第一動力軸２３が設けられ、前記第一動力軸２３の右端には駆動歯車２４が設けられ、前記動力装置５００は前記伝動装置２００により前記射出装置３００をスライド連動させることができ、射出の位置エネルギーを増やす。
【００１５】
有益的には、前記伝動装置２００は前記メインチャンバ２６の中に設けられた伝動軸２１を含み、前記伝動軸２１の外壁には前記駆動歯車２４と噛み合う従動歯車２５が設けられ、前記伝動軸２１の右端にはワンウェイ傘歯車２７が設けられ、前記伝動軸２１の左端には前記ベルトチャンバ２０の中に位置しているワンウェイプーリー１７が設けられ、前記メインチャンバ２６の中には伸び軸４３が設けられ、前記伸び軸４３の底端には前記ワンウェイ傘歯車２７と噛み合う下傘歯車４４が設けられ、前記伸び軸４３の頂端には上傘歯車４２が設けられ、前記メインチャンバ２６の中にはメイン軸４１が設けられ、前記メイン軸４１の前端には前記上傘歯車４２と噛み合う従動傘歯車４０が設けられ、前記メイン軸４１の後端には平歯車３９が設けられ、前記伝動装置２００は動力を前記射出装置３００と前記支持装置１００との中まで伝達することができる。
【００１６】
有益的には、前記支持装置１００は前記支持チャンバ１３の中にスライドできるように設けられたスライドブロック１６を含み、前記スライドブロック１６と前記射出機１１との間が支持ロッド１４によってヒンジで連結され、前記支持チャンバ１３の中にはねじロッド１５が設けられ、前記スライドブロック１６と前記ねじロッド１５とがねじ山によって連結され、前記ねじロッド１５の右端には前記ベルトチャンバ２０の中に位置している従動プーリー１９が設けられ、前記従動プーリー１９と前記ワンウェイプーリー１７との間には第一ベルト１８が伝動できるように設けられ、前記支持装置１００は前記射出機１１を支持することができ、前記射出装置３００が輪投げをより遠いところまで射出できる。
【００１７】
有益的には、前記射出装置３００は前記射出チャンバ３１の中にスライドできるように設けられた射出ブロック３０を含み、前記射出チャンバ３１の左壁の中には前記射出チャンバ３１と連通している回復チャンバ６５が設けられ、前記回復チャンバ６５の中には左リール６１が設けられ、前記左リール６１の中には弾性チャンバ６２が設けられ、前記左リール６１の内壁と前記回復チャンバ６５の内壁との間にはねじりバネ６４が弾性的に設けられ、前記左リール６１と前記射出ブロック３０との間には左ひも３２によって連結され、前記制御チャンバ５１の中には従動軸３６が設けられ、前記従動軸３６の後端には右リール３４が設けられ、前記右リール３４と前記射出ブロック３０との間には右ひも３３によって連結され、前記従動軸３６の外壁には副歯車３５が設けられ、前記制御チャンバ５１の中には前記副歯車３５と前記平歯車３９と噛合する伝動歯車３８が設けられ、
前記射出装置３００は輪投げを射出することができる。
【００１８】
有益的には、前記制御チャンバ４００は前記従動軸３６の前端に設けられたラチェット歯車３７を含み、前記制御チャンバ５１の中にはスライドできる制限ブロック４５が設けられ、前記制限ブロック４５と前記ラチェット歯車３７とが接触し固定され、前記制限ブロック４５の頂壁にはスライドラック４６が設けられ、前記制限ブロック４５の右端と前記制御チャンバ５１の右壁との間にはバネ４７が弾性的に設けられ、前記制御チャンバ５１の中には下軸５０が設けられ、前記下軸５０の後端には前記スライドラック４６と噛み合うことができる扇形歯車４８が設けられ、前記下軸５０の前端には副プーリ４９が設けられ、前記制御チャンバ５１の中には上軸６０が設けられ、前記上軸６０の前端には正プーリ５９が設けられ、前記正プーリ５９と前記副プーリ４９との間には第二ベルト５２が伝動できるように設けられ、前記上軸６０の後端には副傘歯車５８が設けられ、前記制御チャンバ５１の右端には動力チャンバ６６が設けられ、前記制御チャンバ５１の中には制御軸２９が設けられ、前記制御軸２９の左端には前記副傘歯車５８と噛み合う正傘歯車５７が設けられ、前記制御軸２９の右端には前記動力チャンバ６６の中に位置しているウォーム２８が設けられ、前記動力チャンバ６６の中には第二動力軸５４が設けられ、前記第二動力軸５４の前端には前記ウォーム２８と係合するウォームホイール５３が設けられ、前記第二動力軸５４の後端には動力歯車５６が設けられ、前記本体１２の中には前記動力歯車５６と噛み合う動力ラック５５が設けられ、
前記制御装置４００は前記射出装置３００の射出状態を制御できる。
【００１９】
装置を使用する時、モーター２２が始動し、且つ第一動力軸２３により駆動歯車２４を回転連動させ、これにより従動歯車２５と伝動軸２１とによりワンウェイ傘歯車２７を回転連動させ、これにより下傘歯車４４と、伸び軸４３と、上傘歯車４２と、従動傘歯車４０と、メイン軸４１と、平歯車３９と、伝動歯車３８と、副歯車３５と、従動軸３６と、右リール３４と右ひも３３とにより射出ブロック３０を右にスライド連動させ、これにより左ひも３２により左リール６１を回転連動させ、ねじりバネ６４の弾性力による位置エネルギーが増え、犬が輪投げを射出チャンバ３１の中に入れ、モーター２２が逆方向に作動して第一動力軸２３と駆動歯車２４と、従動歯車２５と、伝動軸２１と、ワンウェイプーリー１７と、従動プーリー１９と、ねじロッド１５と、スライドブロック１６と、支持ロッド１４とにより射出機１１を上に回転連動させ、これにより動力ラック５５が動力歯車５６と、第二動力軸５４と、ウォームホイール５３と、ウォーム２８と、制御軸２９と、正傘歯車５７と、副傘歯車５８と、上軸６０と、正プーリー５９と、副プーリー４９と、下軸５０とにより扇形歯車４８を回転連動させ、射出機１１が一定の角度に回転した後、扇形歯車４８とスライドラック４６とが噛み合い、且つ制限ブロック４５を右にスライド連動させ、これにより制限ブロック４５とラチェット歯車３７とが接触状態から離脱し、ねじりバネ６４の弾性力による位置エネルギーが解放し、これにより左ひも３２が射出ブロック３０を左にスライド連動させ、これにより輪投げを射出し、これによりモーター２２が順方向に作動し、次に循環に入る。
【００２０】
本発明の有益効果は：本発明は構造が簡単で、操作が便利で、整備が便利であり、更に当設備は自動的に輪投げを射出でき、ペットドッグをじゃらし、ペットの寂しさを解除し、ペットの感情のニーズを満足でき、従って、当設備は比較的に高い使用価値と普及価値を備える。
【００２１】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020171646.tif 000003
【図２】
2020171646.tif 000004
【図３】
2020171646.tif 000005
【図４】
2020171646.tif 000006
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
本体を含み、前記本体の中には射出機が回転できるように設けられ、前記本体の中には支持チャンバが設けられ、前記支持チャンバの中には前記射出機を支持できる支持装置が設けられ、前記支持チャンバの右壁の中にはベルトチャンバが設けられ、前記ベルトチャンバの右壁の中にはメインチャンバが設けられ、前記メインチャンバの中には動力を伝達できる伝動装置が設けられ、前記射出機の中には射出チャンバが設けられ、前記射出チャンバには輪投げを射出できる射出装置が設けられ、前記射出チャンバの右壁の中には制御チャンバが設けられ、前記制御チャンバの中には前記射出装置の動作を制御する制御装置が設けられ、前記メインチャンバの中には動力装置が設けられ、前記動力装置は前記メインチャンバの左壁の中に設けられたモーターを含み、前記動力装置はまた前記メインチャンバの中に設置され、かつ前記モーターと伝動できるように連結された第一動力軸を含み、前記第一動力軸の右端には駆動歯車が設けられ、前記動力装置は前記伝動装置により前記射出装置をスライド連動させることができることを特徴とする犬じゃらしもちゃ。
【請求項２】
前記伝動装置は前記メインチャンバの中に設けられた伝動軸を含み、前記伝動軸の外壁には前記駆動歯車と噛み合う従動歯車が設けられ、前記伝動軸の右端にはワンウェイ傘歯車が設けられ、前記伝動軸の左端には前記ベルトチャンバの中に位置しているワンウェイプーリーが設けられ、前記メインチャンバの中には伸び軸が設けられ、前記伸び軸の底端には前記ワンウェイ傘歯車と噛み合う下傘歯車が設けられ、前記伸び軸の頂端には上傘歯車が設けられ、前記メインチャンバの中にはメイン軸が設けられ、前記メイン軸の前端には前記上傘歯車と噛み合う従動傘歯車が設けられ、前記メイン軸の後端には平歯車が設けられ、
前記伝動装置は動力を前記射出装置と前記支持装置との中まで伝達することができることを特徴とする請求項１に記載の犬じゃらしもちゃ。
【請求項３】
有益的には、前記支持装置は前記支持チャンバの中にスライドできるように設けられたスライドブロックを含み、前記スライドブロックと前記射出機との間が支持ロッドによってヒンジで連結され、前記支持チャンバの中にはねじロッドが設けられ、前記スライドブロックと前記ねじロッドとがねじ山によって連結され、前記ねじロッドの右端には前記ベルトチャンバの中に位置している従動プーリーが設けられ、前記従動プーリーと前記ワンウェイプーリーとの間には第一ベルトが伝動できるように設けられ、
前記支持装置は前記射出機を支持することができ、前記射出装置が輪投げをより遠いところまで射出できることを特徴とする請求項１に記載の犬じゃらしもちゃ。
【請求項４】
有益的には、前記射出装置は前記射出チャンバの中にスライドできるように設けられた射出ブロックを含み、前記射出チャンバの左壁の中には前記射出チャンバと連通している回復チャンバが設けられ、前記回復チャンバの中には左リールが設けられ、前記左リールの中には弾性チャンバが設けられ、前記左リールの内壁と前記回復チャンバの内壁との間にはねじりバネが弾性的に設けられ、前記左リールと前記射出ブロックとの間には左ひもによって連結され、前記制御チャンバの中には従動軸が設けられ、前記従動軸の後端には右リールが設けられ、前記右リールと前記射出ブロックとの間には右ひもによって連結され、前記従動軸の外壁には副歯車が設けられ、前記制御チャンバの中には前記副歯車と前記平歯車と噛合する伝動歯車が設けられ、
前記射出装置は輪投げを射出することができることを特徴とする請求項１に記載の犬じゃらしもちゃ。
【請求項５】
有益的には、前記制御チャンバは前記従動軸の前端に設けられたラチェット歯車を含み、前記制御チャンバの中にはスライドできる制限ブロックが設けられ、前記制限ブロックと前記ラチェット歯車とが接触し固定され、前記制限ブロックの頂壁にはスライドラックが設けられ、前記制限ブロックの右端と前記制御チャンバの右壁との間にはバネが弾性的に設けられ、前記制御チャンバの中には下軸が設けられ、前記下軸の後端には前記スライドラックと噛み合うことができる扇形歯車が設けられ、前記下軸の前端には副プーリが設けられ、前記制御チャンバの中には上軸が設けられ、前記上軸の前端には正プーリが設けられ、前記正プーリと前記副プーリとの間には第二ベルトが伝動できるように設けられ、前記上軸の後端には副傘歯車が設けられ、前記制御チャンバの右端には動力チャンバが設けられ、前記制御チャンバの中には制御軸が設けられ、前記制御軸の左端には前記副傘歯車と噛み合う正傘歯車が設けられ、前記制御軸の右端には前記動力チャンバの中に位置しているウォームが設けられ、前記動力チャンバの中には第二動力軸が設けられ、前記第二動力軸の前端には前記ウォームと係合するウォームホイールが設けられ、前記第二動力軸の後端には動力歯車が設けられ、前記本体の中には前記動力歯車と噛み合う動力ラックが設けられ、
前記制御装置は前記射出装置の射出状態を制御できることを特徴とする請求項１に記載の犬じゃらしもちゃ。
【手続補正２】
【補正対象書類名】明細書
【補正対象項目名】全文
【補正方法】変更
【補正の内容】
【発明の詳細な説明】
【技術分野】
【０００１】
本発明はペットもちゃ分野を取り上げて、具体的には犬じゃらしもちゃである。
【背景技術】
【０００２】
ペットドッグは人々に寂しさを解消でき、しかし現在人々の生活リズムが速すぎ、自分のペットドッグと遊ぶ時間がなく、ペットもちゃはペットの孤独感を減らせ、且つ一定程度でペットの感情的なニーズを満足でき、従って、自動化のペットドッグをじゃらすもちゃを設計する。
【先行技術文献】
【特許文献】
【０００３】
【特許文献１】中国特許出願公開第１０３３１４８７０号明細書
【発明の概要】
【発明が解決しようとする課題】
【０００４】
本発明の目的は犬じゃらしもちゃを提供し、それは上記の現在の技術中の問題を解決できる。
【課題を解決するための手段】
【０００５】
本発明の犬じゃらしもちゃは、本体を含み、前記本体の中には射出機が回転できるように設けられ、前記本体の中には支持チャンバが設けられ、前記支持チャンバの中には前記射出機を支持できる支持装置が設けられ、前記支持チャンバの右壁の中にはベルトチャンバが設けられ、前記ベルトチャンバの右壁の中にはメインチャンバが設けられ、前記メインチャンバの中には動力を伝達できる伝動装置が設けられ、前記射出機の中には射出チャンバが設けられ、前記射出チャンバには輪投げを射出できる射出装置が設けられ、前記射出チャンバの右壁の中には制御チャンバが設けられ、前記制御チャンバの中には前記射出装置の動作を制御する制御装置が設けられ、前記メインチャンバの中には動力装置が設けられ、前記動力装置は前記メインチャンバの左壁の中に設けられたモーターを含み、前記動力装置はまた前記メインチャンバの中に設置され、かつ前記モーターと伝動できるように連結された第一動力軸を含み、前記第一動力軸の右端には駆動歯車が設けられ、前記動力装置は前記伝動装置により前記射出装置をスライド連動させることができる。
【０００６】
有益的には、前記伝動装置は前記メインチャンバの中に設けられた伝動軸を含み、前記伝動軸の外壁には前記駆動歯車と噛み合う従動歯車が設けられ、前記伝動軸の右端にはワンウェイ傘歯車が設けられ、前記伝動軸の左端には前記ベルトチャンバの中に位置しているワンウェイプーリーが設けられ、前記メインチャンバの中には伸び軸が設けられ、前記伸び軸の底端には前記ワンウェイ傘歯車と噛み合う下傘歯車が設けられ、前記伸び軸の頂端には上傘歯車が設けられ、前記メインチャンバの中にはメイン軸が設けられ、前記メイン軸の前端には前記上傘歯車と噛み合う従動傘歯車が設けられ、前記メイン軸の後端には平歯車が設けられ、
前記伝動装置は動力を前記射出装置と前記支持装置との中まで伝達することができる。
【０００７】
有益的には、前記支持装置は前記支持チャンバの中にスライドできるように設けられたスライドブロックを含み、前記スライドブロックと前記射出機との間が支持ロッドによってヒンジで連結され、前記支持チャンバの中にはねじロッドが設けられ、前記スライドブロックと前記ねじロッドとがねじ山によって連結され、前記ねじロッドの右端には前記ベルトチャンバの中に位置している従動プーリーが設けられ、前記従動プーリーと前記ワンウェイプーリーとの間には第一ベルトが伝動できるように設けられ、
前記支持装置は前記射出機を支持することができ、前記射出装置が輪投げをより遠いところまで射出できる。
【０００８】
有益的には、前記射出装置は前記射出チャンバの中にスライドできるように設けられた射出ブロックを含み、前記射出チャンバの左壁の中には前記射出チャンバと連通している回復チャンバが設けられ、前記回復チャンバの中には左リールが設けられ、前記左リールの中には弾性チャンバが設けられ、前記左リールの内壁と前記回復チャンバの内壁との間にはねじりバネが弾性的に設けられ、前記左リールと前記射出ブロックとの間には左ひもによって連結され、前記制御チャンバの中には従動軸が設けられ、前記従動軸の後端には右リールが設けられ、前記右リールと前記射出ブロックとの間には右ひもによって連結され、前記従動軸の外壁には副歯車が設けられ、前記制御チャンバの中には前記副歯車と前記平歯車と噛合する伝動歯車が設けられ、
前記射出装置は輪投げを射出することができる。
【０００９】
有益的には、前記制御チャンバは前記従動軸の前端に設けられたラチェット歯車を含み、前記制御チャンバの中にはスライドできる制限ブロックが設けられ、前記制限ブロックと前記ラチェット歯車とが接触し固定され、前記制限ブロックの頂壁にはスライドラックが設けられ、前記制限ブロックの右端と前記制御チャンバの右壁との間にはバネが弾性的に設けられ、前記制御チャンバの中には下軸が設けられ、前記下軸の後端には前記スライドラックと噛み合うことができる扇形歯車が設けられ、前記下軸の前端には副プーリが設けられ、前記制御チャンバの中には上軸が設けられ、前記上軸の前端には正プーリが設けられ、前記正プーリと前記副プーリとの間には第二ベルトが伝動できるように設けられ、前記上軸の後端には副傘歯車が設けられ、前記制御チャンバの右端には動力チャンバが設けられ、前記制御チャンバの中には制御軸が設けられ、前記制御軸の左端には前記副傘歯車と噛み合う正傘歯車が設けられ、前記制御軸の右端には前記動力チャンバの中に位置しているウォームが設けられ、前記動力チャンバの中には第二動力軸が設けられ、前記第二動力軸の前端には前記ウォームと係合するウォームホイールが設けられ、前記第二動力軸の後端には動力歯車が設けられ、前記本体の中には前記動力歯車と噛み合う動力ラックが設けられ、
前記制御装置は前記射出装置の射出状態を制御できる。
【発明の効果】
【００１０】
本発明は構造が簡単で、操作が便利で、整備が便利であり、更に当設備は自動的に輪投げを射出でき、ペットドッグをじゃらし、ペットの寂しさを解除し、ペットの感情のニーズを満足でき、従って、当設備は比較的に高い使用価値と普及価値を備える。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行う。
【００１２】
【図１】図１は本発明の犬じゃらしもちゃの全体構成略図
【図２】図２は図１のＡの構成略図
【図３】図３は図１のＢの構成略図
【図４】図４は本発明の犬じゃらしもちゃの作動状態の全体構成略図
【発明を実施するための形態】
【００１３】
以下、上記の図を合わせて本発明について詳しく説明し、また、説明の便利を図るため、下記に記載の上下左右前後方向が図１自身の投影関係の上下左右前後方向と一致することにする。
【００１４】
図１−４に示したように、本発明の犬じゃらしもちゃは、本体１２を含み、前記本体１２の中には射出機１１が回転できるように設けられ、前記本体１２の中には支持チャンバ１３が設けられ、前記支持チャンバ１３の中には前記射出機１１を支持できる支持装置１００が設けられ、前記支持チャンバ１３の右壁の中にはベルトチャンバ２０が設けられ、前記ベルトチャンバ２０の右壁の中にはメインチャンバ２６が設けられ、前記メインチャンバ２６の中には動力を伝達できる伝動装置２００が設けられ、前記射出機１１の中には射出チャンバ３１が設けられ、前記射出チャンバ３１には輪投げを射出できる射出装置３００が設けられ、前記射出チャンバ３１の右壁の中には制御チャンバ５１が設けられ、前記制御チャンバ５１の中には前記射出装置３００の動作を制御する制御装置４００が設けられ、前記メインチャンバ２６の中には動力装置５００が設けられ、前記動力装置５００は前記メインチャンバ２６の左壁の中に設けられたモーター２２を含み、前記動力装置５００はまた前記メインチャンバ２６の中に設置され、かつ前記モーター２２と伝動できるように連結された第一動力軸２３を含み、前記第一動力軸２３の右端には駆動歯車２４が設けられ、前記動力装置５００は前記伝動装置２００により前記射出装置３００をスライド連動させることができる。
【００１５】
有益的には、前記伝動装置２００は前記メインチャンバ２６の中に設けられた伝動軸２１を含み、前記伝動軸２１の外壁には前記駆動歯車２４と噛み合う従動歯車２５が設けられ、前記伝動軸２１の右端にはワンウェイ傘歯車２７が設けられ、前記伝動軸２１の左端には前記ベルトチャンバ２０の中に位置しているワンウェイプーリー１７が設けられ、前記メインチャンバ２６の中には伸び軸４３が設けられ、前記伸び軸４３の底端には前記ワンウェイ傘歯車２７と噛み合う下傘歯車４４が設けられ、前記伸び軸４３の頂端には上傘歯車４２が設けられ、前記メインチャンバ２６の中にはメイン軸４１が設けられ、前記メイン軸４１の前端には前記上傘歯車４２と噛み合う従動傘歯車４０が設けられ、前記メイン軸４１の後端には平歯車３９が設けられ、前記伝動装置２００は動力を前記射出装置３００と前記支持装置１００との中まで伝達することができる。
【００１６】
有益的には、前記支持装置１００は前記支持チャンバ１３の中にスライドできるように設けられたスライドブロック１６を含み、前記スライドブロック１６と前記射出機１１との間が支持ロッド１４によってヒンジで連結され、前記支持チャンバ１３の中にはねじロッド１５が設けられ、前記スライドブロック１６と前記ねじロッド１５とがねじ山によって連結され、前記ねじロッド１５の右端には前記ベルトチャンバ２０の中に位置している従動プーリー１９が設けられ、前記従動プーリー１９と前記ワンウェイプーリー１７との間には第一ベルト１８が伝動できるように設けられ、前記支持装置１００は前記射出機１１を支持することができ、前記射出装置３００が輪投げをより遠いところまで射出できる。
【００１７】
有益的には、前記射出装置３００は前記射出チャンバ３１の中にスライドできるように設けられた射出ブロック３０を含み、前記射出チャンバ３１の左壁の中には前記射出チャンバ３１と連通している回復チャンバ６５が設けられ、前記回復チャンバ６５の中には左リール６１が設けられ、前記左リール６１の中には弾性チャンバ６２が設けられ、前記左リール６１の内壁と前記回復チャンバ６５の内壁との間にはねじりバネ６４が弾性的に設けられ、前記左リール６１と前記射出ブロック３０との間には左ひも３２によって連結され、前記制御チャンバ５１の中には従動軸３６が設けられ、前記従動軸３６の後端には右リール３４が設けられ、前記右リール３４と前記射出ブロック３０との間には右ひも３３によって連結され、前記従動軸３６の外壁には副歯車３５が設けられ、前記制御チャンバ５１の中には前記副歯車３５と前記平歯車３９と噛合する伝動歯車３８が設けられ、
前記射出装置３００は輪投げを射出することができる。
【００１８】
有益的には、前記制御チャンバ４００は前記従動軸３６の前端に設けられたラチェット歯車３７を含み、前記制御チャンバ５１の中にはスライドできる制限ブロック４５が設けられ、前記制限ブロック４５と前記ラチェット歯車３７とが接触し固定され、前記制限ブロック４５の頂壁にはスライドラック４６が設けられ、前記制限ブロック４５の右端と前記制御チャンバ５１の右壁との間にはバネ４７が弾性的に設けられ、前記制御チャンバ５１の中には下軸５０が設けられ、前記下軸５０の後端には前記スライドラック４６と噛み合うことができる扇形歯車４８が設けられ、前記下軸５０の前端には副プーリ４９が設けられ、前記制御チャンバ５１の中には上軸６０が設けられ、前記上軸６０の前端には正プーリ５９が設けられ、前記正プーリ５９と前記副プーリ４９との間には第二ベルト５２が伝動できるように設けられ、前記上軸６０の後端には副傘歯車５８が設けられ、前記制御チャンバ５１の右端には動力チャンバ６６が設けられ、前記制御チャンバ５１の中には制御軸２９が設けられ、前記制御軸２９の左端には前記副傘歯車５８と噛み合う正傘歯車５７が設けられ、前記制御軸２９の右端には前記動力チャンバ６６の中に位置しているウォーム２８が設けられ、前記動力チャンバ６６の中には第二動力軸５４が設けられ、前記第二動力軸５４の前端には前記ウォーム２８と係合するウォームホイール５３が設けられ、前記第二動力軸５４の後端には動力歯車５６が設けられ、前記本体１２の中には前記動力歯車５６と噛み合う動力ラック５５が設けられ、
前記制御装置４００は前記射出装置３００の射出状態を制御できる。
【００１９】
装置を使用する時、モーター２２が始動し、且つ第一動力軸２３により駆動歯車２４を回転連動させ、これにより従動歯車２５と伝動軸２１とによりワンウェイ傘歯車２７を回転連動させ、これにより下傘歯車４４と、伸び軸４３と、上傘歯車４２と、従動傘歯車４０と、メイン軸４１と、平歯車３９と、伝動歯車３８と、副歯車３５と、従動軸３６と、右リール３４と右ひも３３とにより射出ブロック３０を右にスライド連動させ、これにより左ひも３２により左リール６１を回転連動させ、ねじりバネ６４の弾性力による位置エネルギーが増え、犬が輪投げを射出チャンバ３１の中に入れ、モーター２２が逆方向に作動して第一動力軸２３と駆動歯車２４と、従動歯車２５と、伝動軸２１と、ワンウェイプーリー１７と、従動プーリー１９と、ねじロッド１５と、スライドブロック１６と、支持ロッド１４とにより射出機１１を上に回転連動させ、これにより動力ラック５５が動力歯車５６と、第二動力軸５４と、ウォームホイール５３と、ウォーム２８と、制御軸２９と、正傘歯車５７と、副傘歯車５８と、上軸６０と、正プーリー５９と、副プーリー４９と、下軸５０とにより扇形歯車４８を回転連動させ、射出機１１が一定の角度に回転した後、扇形歯車４８とスライドラック４６とが噛み合い、且つ制限ブロック４５を右にスライド連動させ、これにより制限ブロック４５とラチェット歯車３７とが接触状態から離脱し、ねじりバネ６４の弾性力による位置エネルギーが解放し、これにより左ひも３２が射出ブロック３０を左にスライド連動させ、これにより輪投げを射出し、これによりモーター２２が順方向に作動し、次に循環に入る。
【００２０】
本発明の有益効果は：本発明は構造が簡単で、操作が便利で、整備が便利であり、更に当設備は自動的に輪投げを射出でき、ペットドッグをじゃらし、ペットの寂しさを解除し、ペットの感情のニーズを満足でき、従って、当設備は比較的に高い使用価値と普及価値を備える。
【００２１】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
本体を含み、前記本体の中には射出機が回転できるように設けられ、前記本体の中には支持チャンバが設けられ、前記支持チャンバの中には前記射出機を支持できる支持装置が設けられ、前記支持チャンバの右壁の中にはベルトチャンバが設けられ、前記ベルトチャンバの右壁の中にはメインチャンバが設けられ、前記メインチャンバの中には動力を伝達できる伝動装置が設けられ、前記射出機の中には射出チャンバが設けられ、前記射出チャンバには輪投げを射出できる射出装置が設けられ、前記射出チャンバの右壁の中には制御チャンバが設けられ、前記制御チャンバの中には前記射出装置の動作を制御する制御装置が設けられ、前記メインチャンバの中には動力装置が設けられ、前記動力装置は前記メインチャンバの左壁の中に設けられたモーターを含み、前記動力装置はまた前記メインチャンバの中に設置され、かつ前記モーターと伝動できるように連結された第一動力軸を含み、前記第一動力軸の右端には駆動歯車が設けられ、前記動力装置は前記伝動装置により前記射出装置をスライド連動させることができることを特徴とする犬じゃらしおもちゃ。
【請求項２】
前記伝動装置は前記メインチャンバの中に設けられた伝動軸を含み、前記伝動軸の外壁には前記駆動歯車と噛み合う従動歯車が設けられ、前記伝動軸の右端にはワンウェイ傘歯車が設けられ、前記伝動軸の左端には前記ベルトチャンバの中に位置しているワンウェイプーリーが設けられ、前記メインチャンバの中には伸び軸が設けられ、前記伸び軸の底端には前記ワンウェイ傘歯車と噛み合う下傘歯車が設けられ、前記伸び軸の頂端には上傘歯車が設けられ、前記メインチャンバの中にはメイン軸が設けられ、前記メイン軸の前端には前記上傘歯車と噛み合う従動傘歯車が設けられ、前記メイン軸の後端には平歯車が設けられ、
前記伝動装置は動力を前記射出装置と前記支持装置との中まで伝達することができることを特徴とする請求項１に記載の犬じゃらしおもちゃ。
【請求項３】
有益的には、前記支持装置は前記支持チャンバの中にスライドできるように設けられたスライドブロックを含み、前記スライドブロックと前記射出機との間が支持ロッドによってヒンジで連結され、前記支持チャンバの中にはねじロッドが設けられ、前記スライドブロックと前記ねじロッドとがねじ山によって連結され、前記ねじロッドの右端には前記ベルトチャンバの中に位置している従動プーリーが設けられ、前記従動プーリーと前記ワンウェイプーリーとの間には第一ベルトが伝動できるように設けられ、
前記支持装置は前記射出機を支持することができ、前記射出装置が輪投げをより遠いところまで射出できることを特徴とする請求項１に記載の犬じゃらしおもちゃ。
【請求項４】
有益的には、前記射出装置は前記射出チャンバの中にスライドできるように設けられた射出ブロックを含み、前記射出チャンバの左壁の中には前記射出チャンバと連通している回復チャンバが設けられ、前記回復チャンバの中には左リールが設けられ、前記左リールの中には弾性チャンバが設けられ、前記左リールの内壁と前記回復チャンバの内壁との間にはねじりバネが弾性的に設けられ、前記左リールと前記射出ブロックとの間には左ひもによって連結され、前記制御チャンバの中には従動軸が設けられ、前記従動軸の後端には右リールが設けられ、前記右リールと前記射出ブロックとの間には右ひもによって連結され、前記従動軸の外壁には副歯車が設けられ、前記制御チャンバの中には前記副歯車と前記平歯車と噛合する伝動歯車が設けられ、
前記射出装置は輪投げを射出することができることを特徴とする請求項１に記載の犬じゃらしおもちゃ。
【請求項５】
有益的には、前記制御チャンバは前記従動軸の前端に設けられたラチェット歯車を含み、前記制御チャンバの中にはスライドできる制限ブロックが設けられ、前記制限ブロックと前記ラチェット歯車とが接触し固定され、前記制限ブロックの頂壁にはスライドラックが設けられ、前記制限ブロックの右端と前記制御チャンバの右壁との間にはバネが弾性的に設けられ、前記制御チャンバの中には下軸が設けられ、前記下軸の後端には前記スライドラックと噛み合うことができる扇形歯車が設けられ、前記下軸の前端には副プーリが設けられ、前記制御チャンバの中には上軸が設けられ、前記上軸の前端には正プーリが設けられ、前記正プーリと前記副プーリとの間には第二ベルトが伝動できるように設けられ、前記上軸の後端には副傘歯車が設けられ、前記制御チャンバの右端には動力チャンバが設けられ、前記制御チャンバの中には制御軸が設けられ、前記制御軸の左端には前記副傘歯車と噛み合う正傘歯車が設けられ、前記制御軸の右端には前記動力チャンバの中に位置しているウォームが設けられ、前記動力チャンバの中には第二動力軸が設けられ、前記第二動力軸の前端には前記ウォームと係合するウォームホイールが設けられ、前記第二動力軸の後端には動力歯車が設けられ、前記本体の中には前記動力歯車と噛み合う動力ラックが設けられ、
前記制御装置は前記射出装置の射出状態を制御できることを特徴とする請求項１に記載の犬じゃらしおもちゃ。
【手続補正２】
【補正対象書類名】明細書
【補正対象項目名】全文
【補正方法】変更
【補正の内容】
【発明の詳細な説明】
【技術分野】
【０００１】
本発明はペットおもちゃ分野を取り上げて、具体的には犬じゃらしおもちゃである。
【背景技術】
【０００２】
ペットドッグは人々に寂しさを解消でき、しかし現在人々の生活リズムが速すぎ、自分のペットドッグと遊ぶ時間がなく、ペットおもちゃはペットの孤独感を減らせ、且つ一定程度でペットの感情的なニーズを満足でき、従って、自動化のペットドッグをじゃらすおもちゃを設計する。
【先行技術文献】
【特許文献】
【０００３】
【特許文献１】中国特許出願公開第１０３３１４８７０号明細書
【発明の概要】
【発明が解決しようとする課題】
【０００４】
本発明の目的は犬じゃらしおもちゃを提供し、それは上記の現在の技術中の問題を解決できる。
【課題を解決するための手段】
【０００５】
本発明の犬じゃらしおもちゃは、本体を含み、前記本体の中には射出機が回転できるように設けられ、前記本体の中には支持チャンバが設けられ、前記支持チャンバの中には前記射出機を支持できる支持装置が設けられ、前記支持チャンバの右壁の中にはベルトチャンバが設けられ、前記ベルトチャンバの右壁の中にはメインチャンバが設けられ、前記メインチャンバの中には動力を伝達できる伝動装置が設けられ、前記射出機の中には射出チャンバが設けられ、前記射出チャンバには輪投げを射出できる射出装置が設けられ、前記射出チャンバの右壁の中には制御チャンバが設けられ、前記制御チャンバの中には前記射出装置の動作を制御する制御装置が設けられ、前記メインチャンバの中には動力装置が設けられ、前記動力装置は前記メインチャンバの左壁の中に設けられたモーターを含み、前記動力装置はまた前記メインチャンバの中に設置され、かつ前記モーターと伝動できるように連結された第一動力軸を含み、前記第一動力軸の右端には駆動歯車が設けられ、前記動力装置は前記伝動装置により前記射出装置をスライド連動させることができる。
【０００６】
有益的には、前記伝動装置は前記メインチャンバの中に設けられた伝動軸を含み、前記伝動軸の外壁には前記駆動歯車と噛み合う従動歯車が設けられ、前記伝動軸の右端にはワンウェイ傘歯車が設けられ、前記伝動軸の左端には前記ベルトチャンバの中に位置しているワンウェイプーリーが設けられ、前記メインチャンバの中には伸び軸が設けられ、前記伸び軸の底端には前記ワンウェイ傘歯車と噛み合う下傘歯車が設けられ、前記伸び軸の頂端には上傘歯車が設けられ、前記メインチャンバの中にはメイン軸が設けられ、前記メイン軸の前端には前記上傘歯車と噛み合う従動傘歯車が設けられ、前記メイン軸の後端には平歯車が設けられ、
前記伝動装置は動力を前記射出装置と前記支持装置との中まで伝達することができる。
【０００７】
有益的には、前記支持装置は前記支持チャンバの中にスライドできるように設けられたスライドブロックを含み、前記スライドブロックと前記射出機との間が支持ロッドによってヒンジで連結され、前記支持チャンバの中にはねじロッドが設けられ、前記スライドブロックと前記ねじロッドとがねじ山によって連結され、前記ねじロッドの右端には前記ベルトチャンバの中に位置している従動プーリーが設けられ、前記従動プーリーと前記ワンウェイプーリーとの間には第一ベルトが伝動できるように設けられ、
前記支持装置は前記射出機を支持することができ、前記射出装置が輪投げをより遠いところまで射出できる。
【０００８】
有益的には、前記射出装置は前記射出チャンバの中にスライドできるように設けられた射出ブロックを含み、前記射出チャンバの左壁の中には前記射出チャンバと連通している回復チャンバが設けられ、前記回復チャンバの中には左リールが設けられ、前記左リールの中には弾性チャンバが設けられ、前記左リールの内壁と前記回復チャンバの内壁との間にはねじりバネが弾性的に設けられ、前記左リールと前記射出ブロックとの間には左ひもによって連結され、前記制御チャンバの中には従動軸が設けられ、前記従動軸の後端には右リールが設けられ、前記右リールと前記射出ブロックとの間には右ひもによって連結され、前記従動軸の外壁には副歯車が設けられ、前記制御チャンバの中には前記副歯車と前記平歯車と噛合する伝動歯車が設けられ、
前記射出装置は輪投げを射出することができる。
【０００９】
有益的には、前記制御チャンバは前記従動軸の前端に設けられたラチェット歯車を含み、前記制御チャンバの中にはスライドできる制限ブロックが設けられ、前記制限ブロックと前記ラチェット歯車とが接触し固定され、前記制限ブロックの頂壁にはスライドラックが設けられ、前記制限ブロックの右端と前記制御チャンバの右壁との間にはバネが弾性的に設けられ、前記制御チャンバの中には下軸が設けられ、前記下軸の後端には前記スライドラックと噛み合うことができる扇形歯車が設けられ、前記下軸の前端には副プーリが設けられ、前記制御チャンバの中には上軸が設けられ、前記上軸の前端には正プーリが設けられ、前記正プーリと前記副プーリとの間には第二ベルトが伝動できるように設けられ、前記上軸の後端には副傘歯車が設けられ、前記制御チャンバの右端には動力チャンバが設けられ、前記制御チャンバの中には制御軸が設けられ、前記制御軸の左端には前記副傘歯車と噛み合う正傘歯車が設けられ、前記制御軸の右端には前記動力チャンバの中に位置しているウォームが設けられ、前記動力チャンバの中には第二動力軸が設けられ、前記第二動力軸の前端には前記ウォームと係合するウォームホイールが設けられ、前記第二動力軸の後端には動力歯車が設けられ、前記本体の中には前記動力歯車と噛み合う動力ラックが設けられ、
前記制御装置は前記射出装置の射出状態を制御できる。
【発明の効果】
【００１０】
本発明は構造が簡単で、操作が便利で、整備が便利であり、更に当設備は自動的に輪投げを射出でき、ペットドッグをじゃらし、ペットの寂しさを解除し、ペットの感情のニーズを満足でき、従って、当設備は比較的に高い使用価値と普及価値を備える。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行う。
【００１２】
【図１】図１は本発明の犬じゃらしおもちゃの全体構成略図
【図２】図２は図１のＡの構成略図
【図３】図３は図１のＢの構成略図
【図４】図４は本発明の犬じゃらしおもちゃの作動状態の全体構成略図
【発明を実施するための形態】
【００１３】
以下、上記の図を合わせて本発明について詳しく説明し、また、説明の便利を図るため、下記に記載の上下左右前後方向が図１自身の投影関係の上下左右前後方向と一致することにする。
【００１４】
図１−４に示したように、本発明の犬じゃらしおもちゃは、本体１２を含み、前記本体１２の中には射出機１１が回転できるように設けられ、前記本体１２の中には支持チャンバ１３が設けられ、前記支持チャンバ１３の中には前記射出機１１を支持できる支持装置１００が設けられ、前記支持チャンバ１３の右壁の中にはベルトチャンバ２０が設けられ、前記ベルトチャンバ２０の右壁の中にはメインチャンバ２６が設けられ、前記メインチャンバ２６の中には動力を伝達できる伝動装置２００が設けられ、前記射出機１１の中には射出チャンバ３１が設けられ、前記射出チャンバ３１には輪投げを射出できる射出装置３００が設けられ、前記射出チャンバ３１の右壁の中には制御チャンバ５１が設けられ、前記制御チャンバ５１の中には前記射出装置３００の動作を制御する制御装置４００が設けられ、前記メインチャンバ２６の中には動力装置５００が設けられ、前記動力装置５００は前記メインチャンバ２６の左壁の中に設けられたモーター２２を含み、前記動力装置５００はまた前記メインチャンバ２６の中に設置され、かつ前記モーター２２と伝動できるように連結された第一動力軸２３を含み、前記第一動力軸２３の右端には駆動歯車２４が設けられ、前記動力装置５００は前記伝動装置２００により前記射出装置３００をスライド連動させることができる。
【００１５】
有益的には、前記伝動装置２００は前記メインチャンバ２６の中に設けられた伝動軸２１を含み、前記伝動軸２１の外壁には前記駆動歯車２４と噛み合う従動歯車２５が設けられ、前記伝動軸２１の右端にはワンウェイ傘歯車２７が設けられ、前記伝動軸２１の左端には前記ベルトチャンバ２０の中に位置しているワンウェイプーリー１７が設けられ、前記メインチャンバ２６の中には伸び軸４３が設けられ、前記伸び軸４３の底端には前記ワンウェイ傘歯車２７と噛み合う下傘歯車４４が設けられ、前記伸び軸４３の頂端には上傘歯車４２が設けられ、前記メインチャンバ２６の中にはメイン軸４１が設けられ、前記メイン軸４１の前端には前記上傘歯車４２と噛み合う従動傘歯車４０が設けられ、前記メイン軸４１の後端には平歯車３９が設けられ、前記伝動装置２００は動力を前記射出装置３００と前記支持装置１００との中まで伝達することができる。
【００１６】
有益的には、前記支持装置１００は前記支持チャンバ１３の中にスライドできるように設けられたスライドブロック１６を含み、前記スライドブロック１６と前記射出機１１との間が支持ロッド１４によってヒンジで連結され、前記支持チャンバ１３の中にはねじロッド１５が設けられ、前記スライドブロック１６と前記ねじロッド１５とがねじ山によって連結され、前記ねじロッド１５の右端には前記ベルトチャンバ２０の中に位置している従動プーリー１９が設けられ、前記従動プーリー１９と前記ワンウェイプーリー１７との間には第一ベルト１８が伝動できるように設けられ、前記支持装置１００は前記射出機１１を支持することができ、前記射出装置３００が輪投げをより遠いところまで射出できる。
【００１７】
有益的には、前記射出装置３００は前記射出チャンバ３１の中にスライドできるように設けられた射出ブロック３０を含み、前記射出チャンバ３１の左壁の中には前記射出チャンバ３１と連通している回復チャンバ６５が設けられ、前記回復チャンバ６５の中には左リール６１が設けられ、前記左リール６１の中には弾性チャンバ６２が設けられ、前記左リール６１の内壁と前記回復チャンバ６５の内壁との間にはねじりバネ６４が弾性的に設けられ、前記左リール６１と前記射出ブロック３０との間には左ひも３２によって連結され、前記制御チャンバ５１の中には従動軸３６が設けられ、前記従動軸３６の後端には右リール３４が設けられ、前記右リール３４と前記射出ブロック３０との間には右ひも３３によって連結され、前記従動軸３６の外壁には副歯車３５が設けられ、前記制御チャンバ５１の中には前記副歯車３５と前記平歯車３９と噛合する伝動歯車３８が設けられ、
前記射出装置３００は輪投げを射出することができる。
【００１８】
有益的には、前記制御チャンバ４００は前記従動軸３６の前端に設けられたラチェット歯車３７を含み、前記制御チャンバ５１の中にはスライドできる制限ブロック４５が設けられ、前記制限ブロック４５と前記ラチェット歯車３７とが接触し固定され、前記制限ブロック４５の頂壁にはスライドラック４６が設けられ、前記制限ブロック４５の右端と前記制御チャンバ５１の右壁との間にはバネ４７が弾性的に設けられ、前記制御チャンバ５１の中には下軸５０が設けられ、前記下軸５０の後端には前記スライドラック４６と噛み合うことができる扇形歯車４８が設けられ、前記下軸５０の前端には副プーリ４９が設けられ、前記制御チャンバ５１の中には上軸６０が設けられ、前記上軸６０の前端には正プーリ５９が設けられ、前記正プーリ５９と前記副プーリ４９との間には第二ベルト５２が伝動できるように設けられ、前記上軸６０の後端には副傘歯車５８が設けられ、前記制御チャンバ５１の右端には動力チャンバ６６が設けられ、前記制御チャンバ５１の中には制御軸２９が設けられ、前記制御軸２９の左端には前記副傘歯車５８と噛み合う正傘歯車５７が設けられ、前記制御軸２９の右端には前記動力チャンバ６６の中に位置しているウォーム２８が設けられ、前記動力チャンバ６６の中には第二動力軸５４が設けられ、前記第二動力軸５４の前端には前記ウォーム２８と係合するウォームホイール５３が設けられ、前記第二動力軸５４の後端には動力歯車５６が設けられ、前記本体１２の中には前記動力歯車５６と噛み合う動力ラック５５が設けられ、
前記制御装置４００は前記射出装置３００の射出状態を制御できる。
【００１９】
装置を使用する時、モーター２２が始動し、且つ第一動力軸２３により駆動歯車２４を回転連動させ、これにより従動歯車２５と伝動軸２１とによりワンウェイ傘歯車２７を回転連動させ、これにより下傘歯車４４と、伸び軸４３と、上傘歯車４２と、従動傘歯車４０と、メイン軸４１と、平歯車３９と、伝動歯車３８と、副歯車３５と、従動軸３６と、右リール３４と右ひも３３とにより射出ブロック３０を右にスライド連動させ、これにより左ひも３２により左リール６１を回転連動させ、ねじりバネ６４の弾性力による位置エネルギーが増え、犬が輪投げを射出チャンバ３１の中に入れ、モーター２２が逆方向に作動して第一動力軸２３と駆動歯車２４と、従動歯車２５と、伝動軸２１と、ワンウェイプーリー１７と、従動プーリー１９と、ねじロッド１５と、スライドブロック１６と、支持ロッド１４とにより射出機１１を上に回転連動させ、これにより動力ラック５５が動力歯車５６と、第二動力軸５４と、ウォームホイール５３と、ウォーム２８と、制御軸２９と、正傘歯車５７と、副傘歯車５８と、上軸６０と、正プーリー５９と、副プーリー４９と、下軸５０とにより扇形歯車４８を回転連動させ、射出機１１が一定の角度に回転した後、扇形歯車４８とスライドラック４６とが噛み合い、且つ制限ブロック４５を右にスライド連動させ、これにより制限ブロック４５とラチェット歯車３７とが接触状態から離脱し、ねじりバネ６４の弾性力による位置エネルギーが解放し、これにより左ひも３２が射出ブロック３０を左にスライド連動させ、これにより輪投げを射出し、これによりモーター２２が順方向に作動し、次に循環に入る。
【００２０】
本発明の有益効果は：本発明は構造が簡単で、操作が便利で、整備が便利であり、更に当設備は自動的に輪投げを射出でき、ペットドッグをじゃらし、ペットの寂しさを解除し、ペットの感情のニーズを満足でき、従って、当設備は比較的に高い使用価値と普及価値を備える。
【００２１】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。